(57)【要約】      （修正有）【課題】端子箱付電動機の組み付け作業性の向上、かつ端子箱から電動機本体内に粉塵あるいは水が浸入する不具合を防止できる端子箱付電動機を提供する。【解決手段】電動機外枠に端子箱を設け、電動機外枠から導出された内部リード線を端子箱内において外部から導入された外部線と接続するようにした端子箱付電動機において、電動機出力軸と反対側の電動機外枠２５の端面２５ａに内部リード線２８を導出するための孔２９を設け、導出孔２９を覆うように端子箱３を設け、該端子箱３内に配置される基板台４０に、端子台６０と共にプリント基板５０を組付け、前記基板台４０に、内部リード線２８の周囲を保護する保護壁部４４を一体に形成し、内部リード線導出孔２９に合致させるようにして前記基板台４０を電動機外枠端面２５ａに組み付け、端子箱３内に導入される内部リード線２８の周囲を前記保護壁部４４によって覆うようにしたことにある。【選択図】図１
2008263673.tif 000002
【特許請求の範囲】
【請求項１】
電動機外枠に端子箱を設け、電動機外枠から導出された内部リード線を端子箱内において外部から導入された外部線と接続するようにした端子箱付電動機において、電動機出力軸と反対側の電動機外枠の端面に内部リード線を導出するための孔を設け、前記内部リード線導出孔を覆うように端子箱を設けるとともに、該端子箱内に配置される基板台に、端子台と共にプリント基板を組付け、前記基板台に、内部リード線の周囲を保護する保護壁部を一体に形成し、該保護壁部を前記内部リード線導出孔に合致させるようにして前記基板台を電動機外枠端面に組み付け、前記電動機外枠から端子箱内に導入される内部リード線の周囲を前記保護壁部によって覆うようにしたことを特徴とする端子箱付電動機。
【請求項２】
前記端子箱の側壁面に、外部線の導入口を設け、この外部線導入口の軸線延長線上に、該軸線延長線と交叉する方向の斜面部を前記基板台に設け、該斜面部の向きを前記外部線を前記端子台に案内するように形成したことを特徴とする請求項１に記載の端子箱付電動機。
【請求項３】
前記基板台の保護壁部を、前記内部リード線導出孔に、保護壁部の先端が挿入される筒部に形成したことを特徴とする請求項１に記載の端子箱付電動機。
【発明の詳細な説明】
【技術分野】
【０００１】
本発明は、電動機の内部リード線と電源ケーブル等の外部線を接続する端子箱を備えた端子箱付電動機に関する。詳しくは、電動機外枠に対する端子箱の配置と端子箱に設けられた端子台の構造に関する。
【背景技術】
【０００２】
従来、この種の端子箱付電動機としては、端子箱は、電動機外枠の側面に取付けられており、電動機外枠の側面に設けられた孔から内部リード線を引き出し、端子箱内の端子板に組み付けられている。
【特許文献１】特開昭５７−２５１３３号公報
【発明の開示】
【発明が解決しようとする課題】
【０００３】
しかしながら、このような従来の端子箱付電動機にあっては、端子箱が電動機外枠の側面に設けられていたため、狭いスペースに端子箱付電動機を取り付けるのに邪魔になることがあった。 また、電源ケーブルを端子台に接続する配線作業がしにくいという問題もあった。
【０００４】
本発明は、上記課題を解決し、端子箱付電動機の組み付け作業性の向上が図れ、かつ端子箱から電動機本体内に粉塵あるいは水が浸入する不具合を防止することができる端子箱付電動機を提供することを目的とする。
【課題を解決するための手段】
【０００５】
本発明は、上記課題を解決するため、電動機外枠に端子箱を設け、電動機外枠から導出された内部リード線を端子箱内において外部から導入された外部線と接続するようにした端子箱付電動機において、電動機出力軸と反対側の電動機外枠の端面に内部リード線を導出するための孔を設け、前記内部リード線導出孔を覆うように端子箱を設けるとともに、該端子箱内に配置される基板台に、端子台と共にプリント基板を組付け、前記基板台に、内部リード線の周囲を保護する保護壁部を一体に形成し、該保護壁部を前記内部リード線導出孔に合致させるようにして前記基板台を電動機外枠端面に組み付け、前記電動機外枠から端子箱内に導入される内部リード線の周囲を前記保護壁部によって覆うようにしたことにある。
また、本発明は、前記端子箱の側壁面に、外部線の導入口を設け、この外部線導入口の軸線延長線上に、該軸線延長線と交叉する方向の斜面部を前記基板台に設け、該斜面部の向きを前記外部線を前記端子台に案内するように形成したことにある。
さらに、本発明は、前記基板台の保護壁部を、前記内部リード線導出孔に、保護壁部の先端が挿入される筒部に形成したことにある。
【発明の効果】
【０００６】
請求項１においては、電動機出力軸と反対側の端面に設けたリード線導出孔を端子箱で覆うように構成しているため、リード線導出孔から粉塵や水滴が電動機内部に侵入することがない。基板台の保護壁部が内部リード線導出孔の周囲を覆って内部リード線を保護しているので、内部リード線が損傷することがない。また、基板台の保護壁部が内部リード線導出孔の周囲を覆うようになっているため、その部分によって基板台全体が簡易的に位置決めされ、基板台の組み付け作業がし易くなる。さらに、端子台が、電動機出力軸と反対側の端面に設けられ、電動機本体の側面には設けられていないため、狭いスペースであっても端子箱付電動機を取り付けることができる。
請求項２においては、外部線の導入に際して、外部線が基板台の斜面部に沿って端子台の方向に案内されるので、配線作業が容易である。
請求項３において、基板台の保護壁部の先端を筒部に形成して、筒部を内部リード線導出孔に挿入するようにしたので、基板台の位置決めが図れ、組み付け作業の作業性が向上する。
【発明を実施するための最良の形態】
【０００７】
以下図示の実施の形態を図面を参照しながら詳細に説明する。
図１は、端子箱付電動機の内部構造を示す縦断面図、図２は図１の端子箱の蓋を外した状態の概念図、図３（ａ）（ｂ）（ｃ）は電動機外枠を示す概念図、図４、図５は基板台を前後から示す斜視図、図６（ａ）（ｂ）（ｃ）は、基板台を示す図である。
【０００８】
図１および図２において、１は電動機本体２および端子箱３からなる端子箱付電動機である。
電動機本体２は、電動機ハウジング２０内に固定子２１および回転子２２を同心状に配置したもので、回転子２２を支持する回転軸２３が軸受け２４を介して電動機ハウジング２０に回転自在に支持されている。電動機ハウジング２０は、一方を閉塞した筒状の外枠２５と、外枠２５の他方開口端を塞ぐフランジあるいはブラケット２６とで構成されており、ブラケット２６の略中心に設けられた開口穴２６ａから出力軸となる回転軸２３の一端２３ａが外部に導出されている。回転軸２３は外枠２５の閉塞された端面２５ａに設けられたボス部２７ａと、ブラケット２６のボス部２７ｂにそれぞれ嵌入された前記軸受け２４を介して回転自在に支持されている。
【０００９】
前記外枠２５の端面２５ａには、内部リード線２８を電動機ハウジング２０から引き出すための導出孔２９が形成されており、この導出孔２９を介して固定子２１への電力供給用あるいは位置検出などを行う検出部用の内部リード線２８が端子箱３内に導入されている。
【００１０】
前記端子箱３は、電動機ハウジング２０の外枠２５と外形が略同一形状の円筒形に形成されており、外枠２５の端面２５ａに図示しない螺子を介して組み付け固定されることによって、電動機本体２と一体的に構成されている。この端子箱３は、一方開口端を電動機ハウジング２０に組みつけられた筒状の端子箱ケース３１と、端子箱ケース３１の他方開口端に設けられた蓋部３２とで構成されており、端子箱ケース３１のフランジ部３１ａに設けられた螺子孔３１ｂに螺子３３を介して蓋部３２が螺着されている。
【００１１】
前記端子箱ケース３１の内部には、合成樹脂製の基板台４０が組みつけられており、この基板台４０にはプリント基板５０とともに端子台６０が螺子留めにより組み付けられている。
前記基板台４０は、図４ないし図６（ａ）（ｂ）（ｃ）に示すように、凹部４１ａを有する四角形の枠体４１と、枠体４１の両側に設けられた張り出し部４２と、枠体４１の上面に設けられ、かつ上方に延びる略円錐台形状の延出部４３と、枠体４１の下面に設けられ、かつ前後方向に延びる円筒状の保護壁部４４とで構成されている。前記張り出し部４２には、前後方向に貫通する取付孔４２ａが設けられ、この取付孔４２ａと、前記電動機ハウジング２０の外枠２５の端面２５ａに形成された螺子孔２５ｃとに螺子４５を挿通して、前記外枠２５に前記基板台４０が螺子留め固定されている。
【００１２】
前記略円錐台形状の延出部４３は、前記基板台４０の上面に、一体成形、または別体で設けられており、この延出部４３は、前記蓋部３２側に対向する背面を上方に向けて徐々に電動機側に傾斜させて傾斜面４３ａに形成されている。この延出部４３の傾斜面４３ａは、電源ケーブル等の外部線（図示せず）を案内するもので、前記端子箱ケース３１の上部側側壁面３１ｃに形成された金口と呼ばれる導入口３５から導入される外部線を斜面に沿って案内するものである。
前記基板台４０の傾斜面４３ａの位置は、外部線導入口３５の軸線延長線上に、該軸線延長線と交叉する方向に設けられ、かつ該斜面部４３ａの向きを、前記外部線が斜面に沿って前記端子台６０の側まで案内されるように形成されている。
【００１３】
前記円筒状の保護壁部４４は、前記基板台４０を前記電動機ハウジング２０の外枠２５の端面２５ａに組み付けることによって、先端筒部４４ａが導出孔２９の内部に挿入されて組みつけられており、この保護壁部４４の壁面によって、前記電動機ハウジング２０から導出される内部リード線２８の周囲を覆って保護するものである。電動機ハウジング２０から端子箱３に引き出された内部リード線２８は、反転させて前記プリント基板５０にハンダ等によって接着されている。前記プリント基板５０には、端子台６０が装着されており、この端子台６０に螺子６１を介して外部線が取付けられて内部リード線２８と電気的に接続されている。
【００１４】
次に、前記内部リード線２８と外部線との接続手順を説明すると、まず、基板台４０を前記電動機ハウジング２０の外枠２５の外側端面２５ａに組み付ける。このとき、円筒状の保護壁部４４の先端筒部４４ａを導出孔２９の内部に挿入して基板台４０の位置決めが図られる。
そして、保護壁部４４内を挿通して端子箱３内に引き出された内部リード線２８は、反転されてプリント基板５０にハンダ等によって接着される。プリント基板５０は端子台６０とともに基板台４０に螺子留めして組みつけられている。次に、基板台４０を電動機ハウジング２０の外枠２５の外側端面２５ａの螺子孔２５ｃに螺子４５を介して螺着する。端子台６０は、プリント基板５０に組みつけることで、内部リード線２８との電気的な接続を行う。そして、端子箱ケース３１を電動機ハウジング２０の外枠２５の外側端面２５ａに組み付け、導入口３５から外部線を引き入れる。端子箱３内に導入された外部線は、延出部４３の傾斜面４３ａに沿って、端子台６０の側に案内される。こうして、外部線を端子台６０に接続して、電気的な接続を行う。最後に、端子箱ケース３１に、蓋部３２を組み付けて、組みつけが完了する。
【００１５】
以上のように、上記実施の形態によれば、基板台４０の組みつけに際して、円筒状の保護壁部４４の先端筒部４４ａを導出孔２９の内部に挿入して位置決めが図られるので、基板台４０の組みつけを容易に行うことができる。また、外部線は、延出部４３の傾斜面４３ａに沿って、引き入れられ、端子台６０の側に案内されるので、外部線を容易に端子台６０に接続することができる。
【００１６】
なお、本発明は、上記実施の形態のみに限定されるものではなく、例えば、円筒状の保護壁部４４は、内部リード線２８の周囲を保護するものであれば、必ずしも円筒形状である必要はなく、また、延出部４３の傾斜面４３ａは、外部線を案内できるものであれば、角度、あるいは傾斜面４３ａの長さは任意に設定することができる。等、その他本発明の要旨を変更しない範囲内で適宜、変形して実施し得ることは言うまでもない。
【図面の簡単な説明】
【００１７】
【図１】本発明の実施の形態による端子箱付電動機を示めす縦断面図である。
【図２】端子箱の蓋部を外して示す図１の概念図である。
【図３】図１の電動機ハウジングの外枠を示し、（ａ）は外枠の端面を示す正面図、（ｂ）は（ａ）の裏面側を示す背面図、（ｃ）は（ａ）のＢ−Ｂ線断面図である。
【図４】基板台を示す背面側の斜視図である。
【図５】基板台を示す正面側の斜視図である。
【図６】基板台を示し、（ａ）は正面図、（ｂ）は背面図、（ｃ）は（ａ）のＡ−Ａ線断面図である。
【符号の説明】
【００１８】
１  端子箱付電動機
２  電動機本体
３  端子箱
２０  電動機ハウジング
２５  外枠
２５ａ  端面
２８  内部リード線
２９  導出孔
３１  端子箱ケース
３１ａ  フランジ部
３２  蓋部
３３  螺子
４０  基板台
５０  プリント基板
６０  端子台
【図１】
2008263673.tif 000003
【図２】
2008263673.tif 000004
【図３】
2008263673.tif 000005
【図４】
2008263673.tif 000006
【図５】
2008263673.tif 000007
【図６】
2008263673.tif 000008